(57)【要約】【課題】施錠操作後に施錠状態を完全にロックして錠を取り付けた容器等を所謂封印状態とすることができる封印錠を提供する。【解決手段】正面に錠軸用の孔を有する円筒状のケース１と、ケース１内に固定され錠軸用の軸孔を有する錠本体４と、錠本体の軸孔に嵌挿され、先端に回動操作用の溝を設けた錠軸３と、錠軸の末端に固定されるロックレバー５と、を備えている。錠本体４内に接着剤を封入した接着剤容器２が収納され、錠軸３の外周部に刃物状の尖頭部３２が接着剤容器２に接触可能に突設される。錠軸３を施錠側に回したとき、尖頭部３２が接着剤容器２を破壊し、接着剤容器２から流出した接着剤により錠軸３を錠本体４に対し固着する。【選択図】図２
2006037447.tif 000002
【特許請求の範囲】
【請求項１】
正面に錠軸用の孔を有する円筒状のケースと、該ケース内に固定され該錠軸用の軸孔を有する錠本体と、該ケース及び該錠本体の軸孔に嵌挿され、先端に回動操作用の溝を設けた錠軸と、該錠軸の末端に固定されるロックレバーと、を備え、施錠操作後に施錠状態を封印する封印錠において、
該錠本体内に接着剤を封入した接着剤容器が収納され、該錠軸の外周部に刃物状の尖頭部が該接着剤容器に接触可能に突設され、該錠軸を施錠側に回したとき、該尖頭部が接着剤容器を破壊し、接着剤容器から流出した接着剤により錠軸を錠本体に対し固着することを特徴とする封印錠。
【請求項２】
前記錠軸の外周部に設けた刃物状の尖頭部は、錠軸外周部と錠本体内周部との間に円周方向に沿って配設され、所定角度以上に該錠軸を解錠側に回したとき、該尖頭部の尖端が外側に移動して接着剤容器に突き刺し可能な状態となることを特徴とする請求項１記載の封印錠。
【請求項３】
正面に錠軸用の孔を有する円筒状のケースと、該ケース内に固定され該錠軸用の軸孔を有する錠本体と、該ケース及び該錠本体の軸孔に嵌挿され、先端に回動操作用の溝を設けた錠軸と、該錠軸の末端に固定されるロックレバーと、を備え、施錠操作後に施錠状態を封印する封印錠において、
該錠本体内に接着剤を封入した接着剤容器が収納され、錠軸の外周部に刃物状の尖頭部が該接着剤容器に接触可能に突設され、該錠軸を不正に解錠操作した場合、尖頭部が接着剤容器を破壊し、該接着剤容器から流出した接着剤が錠軸及び錠本体に付着して痕跡を残すことを特徴とする封印錠。
【発明の詳細な説明】
【技術分野】
【０００１】
本発明は、施錠操作後に施錠状態を完全にロックして錠を取り付けた容器等を封印する封印錠に関し、特に遊技機の電子回路用ケースなどの封印に好適な封印錠に関する。
【背景技術】
【０００２】
例えば、パチンコ機においては、近年、入賞の際の出玉率が電子回路（コントローラ）により制御される。この種のコントローラは、実際に使用されるパチンコホール等での改造を防止するために、ケースに収納され、閉鎖される。しかし、コントローラは、電気メーカで組み立てられる段階、パチンコ機メーカでパチンコ機に装着される段階、及びパチンコホールに設置される段階等、複数の段階で調整や検査を行う必要があるため、製造の最初の段階でケースを完全に封止しておくことはできない。
【０００３】
このため、この種のパチンコ機のコントローラは、ケースに挿入されてパチンコ機に装着され、パチンコホールにパチンコ機が納入された最終検査の終了時に封印され、改造を不可能として使用される。しかし、ケースの封印は、通常、所定のシールをケースの扉に貼りつけることにより実施していることから、封印したシールを特殊な溶剤を用いて剥し、再び元の状態に貼りつけ、外観ではわからないように封印を破るケースが発生していた。
【０００４】
そこで、本発明者は、下記特許文献１において、所定回数の施錠・解錠を行った後、最終の施錠動作で錠を完全にロックして封印することができる封印錠を提案した。
【特許文献１】特開平１０−２５２３２５号公報
【発明の開示】
【発明が解決しようとする課題】
【０００５】
この封印錠は、錠軸を回して解錠と施錠操作を所定回数行なう間は、施錠・解錠操作を行うことができ、最終の施錠操作を行なったとき、ロックピンがロータのロック用穴に嵌合し、ロータと錠軸をロック状態として良好に封印することができる。しかしながら、ロックピンがロック用穴から何らかの理由により外れた場合、封印が解除されて再び蓋が開放される虞があり、更に確実に封印される封印錠が要望されていた。
【０００６】
本発明は、上記の点に鑑みてなされたもので、施錠操作後に施錠状態を完全にロックして錠を取り付けた容器等を所謂封印状態とすることができる封印錠を提供することを目的とする。
【課題を解決するための手段】
【０００７】
上記目的を達成するために、本発明の請求項１の封印錠は、正面に錠軸用の孔を有する円筒状のケースと、ケース内に固定され錠軸用の軸孔を有する錠本体と、錠本体の軸孔に嵌挿され、先端に回動操作用の溝を設けた錠軸と、錠軸の末端に固定されるロックレバーと、を備え、施錠操作後に施錠状態を封印する封印錠において、錠本体内に接着剤を封入した接着剤容器が収納され、錠軸の外周部に刃物状の尖頭部が接着剤容器に接触可能に突設され、錠軸を施錠側に回したとき、尖頭部が接着剤容器を破壊し、接着剤容器から流出した接着剤により錠軸を錠本体に対し固着することを特徴とする。
【０００８】
ここで、錠軸の外周部に設けた刃物状の尖頭部は、錠軸外周部と錠本体内周部との間に円周方向に沿って配設され、所定角度以上に錠軸を解錠側に回したとき、尖頭部の尖端が外側に移動して接着剤容器に突き刺し可能な状態とすることができる。
【０００９】
また、請求項３の封印錠は、正面に錠軸用の孔を有する円筒状のケースと、ケース内に固定され錠軸用の軸孔を有する錠本体と、ケース及び錠本体の軸孔に嵌挿され、先端に回動操作用の溝を設けた錠軸と、錠軸の末端に固定されるロックレバーと、を備え、施錠操作後に施錠状態を封印する封印錠において、錠本体内に接着剤を封入した接着剤容器が収納され、錠軸の外周部に刃物状の尖頭部が接着剤容器に接触可能に突設され、錠軸を不正に解錠側に回したとき、尖頭部が接着剤容器を破壊し、接着剤容器から流出した接着剤が錠軸及び錠本体に付着して痕跡を残すことを特徴とする。
【発明の効果】
【００１０】
上記構成の封印錠は、箱等の扉或は蓋に取り付けられ、扉等の施錠・解錠とその後の封印に使用される。
【００１１】
請求項１の封印錠では、その錠軸がコイン、ドライバ等を先端の溝に差し込んで所定の角度範囲で回動され、一方向の回動によりロックレバーは解錠位置となり、他方向の回動により施錠位置となる。
【００１２】
錠軸を所定の角度範囲内で回動操作する場合、錠軸の外周部に配設された刃物状の尖頭部は錠軸と錠本体の間に円弧状に収納され、錠軸の回動操作時において尖頭部が接着剤容器を突き破ることはない。したがって、施錠・解錠操作を複数回行なうことができる。
【００１３】
一方、封印錠を封印する場合、錠軸を所定の角度範囲を超えて解錠側に回し、これによって、尖頭部の尖端が外側に移動して接着剤容器に突き刺し可能な状態とする。この状態で、錠軸を施錠側に回動操作すると、尖頭部が錠軸と共に回動して、錠本体内に収納された接着剤容器を突き破り、錠軸は施錠位置まで回動する。これにより、接着剤容器から接着剤が錠本体と錠軸の間に流出する。接着剤として短時間で硬化するシアノアクリレート系接着剤（瞬間接着剤）を使用した場合、短時間で錠軸が錠本体に対し接着された状態となり、封印錠はロック状態つまり破壊しなければ開くことができない封印状態となる。
【００１４】
また、請求項３の封印錠では、錠軸を所定の角度範囲を超えて施錠側に回し施錠すると、尖頭部の尖端が外側に移動して接着剤容器に突き刺し可能な状態となする。この状態で、錠軸を不正に解錠側に回動操作すると、尖頭部が錠軸と共に回動して、錠本体内に収納された接着剤容器を突き破り、接着剤が錠軸と錠本体の間などに流出する。この状態で、再び錠軸を施錠位置まで回動すると、接着剤により錠軸が錠本体に対し固着され、錠は封印され、さらに、接着剤の流出により、不正に解錠された痕跡が錠に残ることとなる。
【発明を実施するための最良の形態】
【００１５】
以下、本発明の実施の形態を図面に基づいて説明する。図１は箱７の扉６に取り付けられた封印錠の正面図を示し、図２、図３はその断面図を示している。この封印錠は、基本的には、略円筒形のケース１と、ケース１内に固定された錠本体４と、錠本体４内に破壊可能に収納された接着剤容器２と、錠本体４内の軸心位置に挿通された錠軸３と、錠軸３の末端に固定されるロックレバー５と、から構成され、コイン或はマイナスドライバ等により錠軸３を回して施錠・解錠可能な簡単な錠である。
【００１６】
図５〜図７に示す如く、ケース１は略円筒状に形成され、その正面にフランジ１１が設けられ、フランジ１１の中央に錠軸挿入用の円形孔が穿設され、その上方に円形の窓１２が穿設される。ケース１の外周壁の４か所にはこの封印錠を扉等の被取付部に固定するための逆止爪１４が突設される。
【００１７】
さらに、ケース１の外周壁に、錠本体４の逆止爪を嵌合させる矩形孔が形成され、外周壁の端部にはロックレバー５の回動範囲を約９０度に制限するための回動範囲制限用の切欠き（段差部）が形成される。
【００１８】
ケース１内には錠本体４が固定される。錠本体４は、錠軸３を挿通可能な略円形の軸孔を有した円柱状に形成され、その錠軸３用の孔に隣接して図２、図７のような形状の接着剤容器２が収納されている。接着剤容器２には短時間で硬化するシアノアクリレート系接着剤（瞬間接着剤）が封入され、また、その容器は後述の錠軸３の外周部に設けた尖頭部３２によって突き破ることが可能な薄い合成樹脂製の容器として形成されている。
【００１９】
また、図７に示すように、軸孔と隣接し且つ接着剤容器２と隣接した錠本体４内の位置に、略三日月状の内部空間４１が円周方向に沿って形成され、この内部空間に、錠軸の外周に設けられた尖頭部３２が進入した際、尖頭部３２がそのばね弾性により外側に開くように移動可能となっている。
【００２０】
ケース１内の錠本体４の軸孔に、図５に示すような錠軸３が挿通される。錠軸３は、その先端部にコインやドライバ等を挿入可能な操作溝３１が形成され、中間部外周には上記の接着剤容器２を破るための刃物状の尖頭部３２が突出可能に設けられている。尖頭部３２は、図５に示すように、細い円弧状本体の先端を鋭角とした尖頭形状として、錠軸２の外周部円周方向にそって形成され、円弧状本体はばね弾性を有しており、フリー状態で外側に広がるように突出する。尖頭部３２が接着剤容器２の内側面を摺動する際には、容器の内周面に押されて錠軸３の外周面の一部に形成された円周溝内に収納される。一方、図７（ｃ）のように、錠軸３の回動によって尖頭部３２が内部空間４１に達したとき、ばね弾性により尖頭部３２は外側に広がり、突き出した状態となる。
【００２１】
さらに、この錠軸３は、コイン等により所定の方向に所定の範囲で（ここでは右方向に約９０度の範囲で）回動されるように、先端に操作溝３１が形成されている。更に、錠軸３の末端には、ロックレバー５を嵌着するための嵌着部３３が形成され、嵌着部３３を内側に撓ませるようにロックレバー５が嵌め込まれる。
【００２２】
図２に示すように、ケース１の前面のフランジ１１と錠本体４との間に回転板１３が、フランジ１１に設けた窓１２に封印の有無を表示するように配設される。この回転板１３には、例えば緑と赤の部分が着色形成され、封印された場合は、緑に代えて赤がその窓１２に表示される。このために、回転板１３と錠軸３との間に、例えば図示を省略したラチェット爪と係合部が設けられ、一定角度範囲の錠軸３の回動の場合、回転板１３は回転せず、緑を窓１２に表示する。一方、錠軸３が一定の角度範囲を越えて右に回動したとき、ラチェット爪が係合部に係合し、その状態で錠軸３を左に回動し封印したとき、回転板１３がその封印回動に従動して回転し、窓１２に封印を示す赤を表示する。
【００２３】
封印錠を組立てる場合、錠本体４内に接着剤容器２を収納した状態で、ケース１内に錠軸３、錠本体４を組み付け、錠軸３の末端の嵌着部３３にロックレバー５が嵌着される。ロックレバー５は箱７側に固定した受け部８に対し係止可能な形状に形成されている。上記ケース１、錠軸３、錠本体４、ロックレバー５は、全てＡＢＳ樹脂等の硬質合成樹脂で成形することができる。尖頭部３２は錠軸３と一体に成形することができるが、ばね性金属で形成することもできる。
【００２４】
このように構成された封印錠は、図１、図４に示すように、例えば、パチンコ機の電子回路を収納するための箱７の扉６に装着される。この装着は、扉６に穿設した所定の大きさの孔に、封印錠を正面側から挿入し、ケース１の外周の逆止爪１４を孔の縁部に嵌めて容易に装着することができる。そして、錠軸３の末端にロックレバー５を嵌着する。この時、錠軸３は解錠位置で且つ所定角度範囲内の位置（図７ｂに示すように、ロックレバー５を水平位置より上に例えば１０度上げた角度位置）にセットされ、窓１２には回転板１３の緑が表示されるように、セットされる。
【００２５】
パチンコ機の場合、通常は、電気メーカにおいて、箱７内に電子回路が収納され、扉６が閉じられ、コイン、ドライバ等を錠軸３の操作溝３１に差し込み、錠軸３を左に約８０度回す。この時、錠軸３の末端のロックバー５が図７（ａ）に示すように１２時位置に回動し、ロックレバー５が箱７側の係止部８に係止され、扉６は施錠される。このとき、錠軸３の外周部の尖頭部３２は、図７（ａ）（ｂ）に示すように、接着剤容器２の内側で摺動し、尖頭部３２の尖端が容器２を突き破ることはない。
【００２６】
次に、電子回路を収納したこのような箱７は、例えば、パチンコ機メーカに送られ、パチンコ機内に装着されるが、そこでの検査時等に箱を開くために解錠する。コイン、ドライバ等を錠軸３の操作溝３１に挿入してそれを右に所定角度範囲だけ（例えば約８０度）回し、解錠を行うと、図７（ｂ）のように、錠軸３とともにロックレバー５が解錠位置に回り、係止部８との係合が外れ、解錠される。
【００２７】
電子回路の検査や調整を行った後、扉６を閉じ、再び施錠する場合には、上記と同様に、コイン、ドライバ等を錠軸３の操作溝３１に差し込み、錠軸３を左に約８０度回す。この時、錠軸３の末端のロックバー５は、図７（ｂ）から図７（ａ）に示すように１２時位置まで回動し、ロックレバー５が箱７側の係止部８に係止され、扉６は施錠される。このときも、図７（ａ）（ｂ）に示すように、錠軸３の尖頭部３２は接着剤容器２の内側で摺動し、尖頭部３２の尖端が容器２を突き破ることはない。
【００２８】
次に、パチンコ機がパチンコホールに設置され、設置後の検査や調整を行うために箱７を開く場合、解錠を行う。上記と同様に、コイン、ドライバ等を錠軸３の操作溝３１に挿入してそれを右に約８０度回すと、図７（ｂ）のように、錠軸３とともにロックレバー５が解錠位置に回動し、解錠される。
【００２９】
そして、電子回路の検査や調整を行った後、扉６を閉じ、再び施錠する場合には、上記と同様に、コイン、ドライバ等を錠軸３の操作溝３１に差し込み、錠軸３を左に約８０度回す。この時、錠軸３の末端のロックバー５は、図７（ｂ）から図７（ａ）に示すように１２時位置まで回動し、ロックレバー５が箱７側の係止部８に係止され、扉６は施錠される。
【００３０】
次に、パチンコ機を警察等の立ち会いのもと、最終的に監査を行って封印する場合、上記と同様に、コイン、ドライバ等を錠軸３の操作溝３１に挿入してそれを右に約８０度回すと、錠軸３とともにロックレバー５が解錠位置に回り、解錠される。
【００３１】
そして、電子回路の監査を行った後、扉６を閉じ、ケースを封印する場合には、コイン、ドライバ等を錠軸３の溝３１に差し込み、図７（ｂ）から図７（ｃ）に示すように、錠軸３をさらに右に約１０度回す。この時、錠軸３の外周部の尖頭部３２が、そのばね弾性により錠本体４の内部空間４１に出て外側に広がるように移動し、図７（ｃ）のように尖頭部３２の尖端が接着剤容器２の壁部に対向した状態となる。
【００３２】
次に、錠軸３を左に約９０度回してロックレバー５を施錠位置に回動させる。この時、図８に示すように、錠軸３の外周部の尖頭部３２の尖端が接着剤容器２の壁部を突き破り、これによって、接着剤容器２内の瞬間接着剤が流出して錠軸３と錠本体４との間などに浸入した状態となり、錠軸３はロックレバー５が係止部８に係止された状態でロックされる。この後、錠軸３と錠本体４の隙間などに浸入した瞬間接着剤が直ちに硬化し、錠軸３は錠本体４に対し完全に固着されるため、錠を破壊する以外に箱７の扉６を開くことができず、箱７を封印した状態となる。また、このように最終的に錠軸３を左に約９０度回してロックレバー５を施錠位置に回動させたとき、回転板１３が錠軸３と共に回動して窓１２に封印を示す赤が表示される。
【００３３】
このように、錠軸３を所定角度範囲内で回動操作した場合は、複数回の施錠・解錠を行なうことができ、封印錠を封印する場合は、錠軸３を所定の角度範囲を超えて解錠側に回し、これによって、尖頭部３２の尖端が外側に移動して接着剤容器２に突き刺し可能な状態とする。そしてこの状態で、錠軸３を施錠側に回動操作すると、尖頭部３２が錠軸３と共に回動して、錠本体４内に収納された接着剤容器２を突き破り、錠軸３は施錠位置まで回動し、これにより、接着剤容器２から接着剤が錠本体４と錠軸３の間に流出し、短時間で錠軸３が錠本体４に対し接着された状態となり、封印錠はロック状態つまり破壊しなければ開くことができない封印状態とすることができる。この封印錠は、構造的に、錠本体４内に接着剤容器２を収納し、錠軸３の外周部に尖頭部３２を設けるのみで構成できるため、比較的簡単な構造で、全体を硬質合成樹脂により形成することができ、安価に製造可能となり、各種の容器等の封印に広く使用することができる。
【００３４】
なお、本封印錠は、図９に示すように、その使用に際し、上記とは逆に、錠軸３及びロックレバー５を１２時位置に回したとき、解錠状態となり、錠軸３及びロックレバー５を３時位置に回したとき、施錠状態となるように、扉６に錠を取り付け、係止部２８を箱７側に設けることができる。
【００３５】
すなわち、この封印錠では、上記実施形態とは逆に、ロックレバー５を１２時位置に回したとき、解錠状態なり、ロックレバー５を３時位置に回したとき、施錠状態となるように、所定の角度範囲内の回動操作を行なう。そして、最終的に施錠する際には、施錠位置からさらに約１０度施錠側（右側）に錠軸３を回す。
【００３６】
これにより、錠軸３の外周部の尖頭部３２が、そのばね弾性により錠本体４の内部空間４１に出て外側に広がるように動き、図７（ｃ）のように尖頭部３２の尖端が接着剤容器２の壁部に対向した状態となる。
【００３７】
そして、この状態で不正解錠が行なわれ、解錠するために錠軸３が左に回動されると、図８のように、錠軸３の外周部の尖頭部３２の尖端が接着剤容器２の壁部を突き破り、接着剤容器２内の瞬間接着剤が流出して錠軸３と錠本体４との間などに浸入する。その後、錠軸３が再度施錠側に回されると、接着剤により錠軸３が錠本体４に対し固着された状態となって錠が封印されるが、錠が不正に解錠状態で放置されたとしても、接着剤の流出によって、不正解錠の痕跡が残ることになる。
【図面の簡単な説明】
【００３８】
【図１】本発明の一実施形態を示す封印錠の正面図である。
【図２】図１のII−II断面図である。
【図３】図１のIII −III 断面図である。
【図４】封印錠を装着した箱の斜視図である。
【図５】（ａ）は錠軸３の正面図、（ｂ）は錠軸３の側面図である。
【図６】封印錠の背面図である。
【図７】（ａ）は施錠位置の断面図、（ｂ）は解錠位置の断面図、（ｃ）は封印する際の解錠位置の断面図である。
【図８】施錠・封印する際の動作を示す断面図である。
【図９】他の実施形態を示す使用状態の封印錠の正面図である。
【符号の説明】
【００３９】
１−ケース
２−接着剤容器
３−錠軸
３１−操作溝
３２−尖頭部
３３−嵌着部
４−錠本体
４１−内部空間
５−ロックレバー
【図１】
2006037447.tif 000003
【図２】
2006037447.tif 000004
【図３】
2006037447.tif 000005
【図４】
2006037447.tif 000006
【図５】
2006037447.tif 000007
【図６】
2006037447.tif 000008
【図７】
2006037447.tif 000009
【図８】
2006037447.tif 000010
【図９】
2006037447.tif 000011